(57)【要約】【課題】換気効率を向上するとともに、居室内のイオン濃度分布、湿度分布、芳香成分濃度分布を均一にすることができる住宅換気システム、および、冷暖房時における快適性と健康面での安全性が確保できるだけでなく、居室全体の温度分布を均一にすることができる空気調和システムを提供する。【解決手段】外気を室外給気口から取り込みフィルターボックスを通過させて各居室（洋室、和室、居間、食堂）内に吹き出すとともに、住宅内（トイレ、浴室、台所）の空気を強制的に吸引して室外排気口から外部に排出する住宅換気装置において、居室の側壁面または天井面に設けられた流入口から天井に沿うように居室内に空気を送出し、流入口の略真下の位置に配された流出口から居室外に空気を送出する。【選択図】　　　図１
2004061068.tif 000002
【特許請求の範囲】
【請求項１】
外気を取り込み流入口から居室内に吹き出すと共に、居室内の空気を流出口から外部に排出する住宅換気システムにおいて、居室の天井に沿うように吹き出す流入口を設け、該流入口の吹き出し方向とは反対方向に流出する位置に流出口を設けたことを特徴とする住宅換気システム。
【請求項２】
空気調和した空気を流入口から居室内に吹き出すと共に、居室内の空気を流出口から空気調和部に戻す空気調和システムにおいて、居室の天井に沿うように吹き出す流入口を設け、該流入口の吹き出し方向とは反対方向に流出する位置に流出口を設けたことを特徴とする空気調和システム。
【請求項３】
外気を取り込み流入口から居室内に吹き出すと共に、居室内の空気を流出口から外部に排出する住宅換気システムにおいて、居室の一側壁に沿うよう下方に吹き出す流入口を設け、前記一側壁に対向する側壁に沿って居室の空気を排気する流出口を設けたことを特徴とする住宅換気システム。
【請求項４】
空気調和した空気を流入口から居室内に吹き出すと共に、居室内の空気を流出口から空気調和部に戻す空気調和システムにおいて、居室の一側壁に沿うよう下方に吹き出す流入口を設け、前記一側壁に対向する側壁に沿って居室の空気を排気する流出口を設けたことを特徴とする空気調和システム。
【請求項５】
外気を取り込み流入口から居室内に吹き出すと共に、居室内の空気を流出口から外部に排出する住宅換気システムにおいて、居室の天井に沿うように吹き出す第１の流入口と、該第１の流入口の吹き出し方向と反対側に設けられ居室の空気を排気する流出口と、該流出口の設けられた側壁に対向する側壁に沿うよう下方に吹き出す第２の流入口と、を設けたことを特徴とする住宅換気システム。
【請求項６】
空気調和した空気を流入口から居室内に吹き出すと共に、居室内の空気を流出口から空気調和部に戻す空気調和システムにおいて、居室の天井に沿うように吹き出す第１の流入口と、該第１の流入口の吹き出し方向と反対側に設けられ居室の空気を排気する流出口と、該流出口の設けられた側壁に対向する側壁に沿うよう下方に吹き出す第２の流入口と、を設け、前記第１の流入口と第２の流入口を択一的に使用する選択手段を設けたことを特徴とする空気調和システム。
【請求項７】
上記流入口を居室の天井壁近傍の側壁に設けたことを特徴とする請求項１に記載の住宅換気システムまたは請求項２に記載の空気調和システム。
【請求項８】
上記流入口を居室の側壁近傍の天井壁に設けたことを特徴とする請求項３に記載の住宅換気システムまたは請求項４に記載の空気調和システム。
【請求項９】
上記流出口を居室の出入口扉に設けたことを特徴とする請求項１〜請求項８の何れかに記載の住宅換気システムまたは空気調和システム。
【請求項１０】
イオン発生装置を備え、上記流入口から居室内にイオンを送出することを特徴とする請求項１〜請求項９の何れかに記載の住宅換気システムまたは空気調和システム。
【請求項１１】
上記イオン発生装置がプラスイオンとマイナスイオンとを発生する請求項１０に記載の住宅換気システムまたは空気調和システム。
【請求項１２】
水蒸気を発生する蒸気発生装置を備え、上記流入口から居室内に蒸気を送出することを特徴とする請求項１〜請求項１１の何れかに記載の住宅換気システムまたは空気調和システム。
【請求項１３】
芳香成分を発生する芳香成分発生装置を備え、上記流入口から居室内に芳香成分を送出することを特徴とする請求項１〜請求項１２の何れかに記載の住宅換気システムまたは空気調和システム。
【請求項１４】
前記流入口に送風機を設え、該送風機にて居室内に空気を送出することを特徴とする請求項１〜請求項１３の何れかに記載の住宅換気システムまたは空気調和システム。
【発明の詳細な説明】
【０００１】
【発明の属する技術分野】
本発明は戸建て及びマンション等の住宅における換気システム及び又は空調システムに関するものである。
【０００２】
【従来の技術】
近年、住宅の高気密化・高断熱化が進む中、換気不足により住宅内の空気が汚れ、結露の発生、カビ等の繁殖、カビを餌にしてのダニの発生、といった悪循環により家族の健康に大きな影響を与えることが問題となっていることから、住宅の計画換気を行う例が増加している。
【０００３】
このような住宅換気装置の一例を図２０に示す。この住宅換気装置は第一種換気法に基づく全館換気システム１ａであり、室外給気口２１から取り込まれた外気が花粉や塵芥を取り除くためのフィルターボックス２２を通過し、さらに熱交換型換気ユニット２３、分岐チャンバー２４を経由して、各居室の天井又は壁に設置された流入口３、３、…、３から、洋室、和室、居間、食堂といった居室に吹き出すようになっている。また、このようにして各居室内に吹き出した外気は、トイレ、浴室、台所等に流れていって各室の天井又は壁に設置された吸入口４、４、…、４から吸引され、フィルターボックス２２を経由して熱交換型換気ユニット２３において熱交換を行い、室外排気口２５から排出される。また、この他に第二種換気法や第三種換気法に基づく住宅換気装置を採用した住宅もある。
【０００４】
このような住宅換気装置を採用した住宅においては、結露、新建材の接着剤から発生するホルムアルデヒド等の揮発性有害化合物（ＶＯＣ）が原因となるシックハウス症候群、ダニの発生、塵芥や花粉の浮遊、悪臭の定着等を効果的に防止することができる。
【０００５】
また、上記計画換気を行うとともに冷暖房等の空調を行う全館空調システムを採用する例も増加しており、図２１にその一例を示す。この住宅換気装置は第一種換気法に基づく全館空調システム１ｂであり、上記図２０に示す全館換気システム１ａに対して分岐チャンバー２４の変わりに空気調和機の室内機５１を備え、該室内機５１と伝熱管５２にて接続され屋外に配される室外機５３と、住宅内の気を再び室内機５１内に取込んで空気調和を行うための再循環空気吸入口５４をさらに備えている。このような全館空調システム１ｂにおいては、上記全館換気システム１ａの効果を得るとともに、空気調和機にて冷暖房することにより家屋全体の気温の制御を一括して行うことができる。
【０００６】
また、より一層の快適性を実現するために、上記住宅換気装置にイオン発生装置や加湿装置、フィトンチッド等の芳香成分を発生する芳香成分発生装置等を配し、除菌・抗菌効果、リフレッシュ効果、消臭・脱臭効果、防虫効果を住宅全体に及ぼす工夫をなされたものもある。
【０００７】
【発明が解決しようとする課題】
上記の従来の全館換気システム１ａや全館空調システム１ｂのような住宅換気装置によると、各居室６への送風は、通常、天井６ａまたは側壁面６ｂに設けられた流入口３から行われ、各居室の出入口扉６１に設けられた流出口７から廊下へ流出する。図２２は、居室６における気流の挙動を示す模式図である。居室６内における気流は図２２の矢印に示すように流通するため、居室６の隅の空気はよどむか、または図のように渦流８が発生し効率よく換気ができないという問題があった。また、イオンや加湿空気、芳香成分による効果が居室内の隅々に行き渡らないという問題があった。
【０００８】
また、流入口３から送出される風が冷気または暖気である場合には、居室内に大きな温度のばらつきを生じさせる問題があった。また、流入口３から送出される冷気または暖気が居室内を流通する際に、居住者に直接当たる場合もあり、居住者に不快感を与えるとともに、冷房時には局所的に使用者の体温を低下させて健康に害を与えるという問題もあった。図２３は、図２２の流入口３から送出される風が冷気である場合の居室中央部断面の温度分布を示す図である。居室内に大きな温度のばらつきを生じさせるだけでなく、居室の中央部に冷気が降り注いでいる様子がうかがえる。
【０００９】
本発明は、上記の問題点に鑑みてなされたものであり、居室内の換気効率を向上するとともに、居室内のイオン濃度分布、湿度分布、芳香成分濃度分布等を均一にすることができる換気システムや空調システムといった住宅換気装置を提供することを目的とする。また、冷暖房時における快適性と健康面での安全性が確保できるだけでなく、居室全体の温度分布を均一にすることができる空調システムを提供することを目的とする。
【００１０】
【課題を解決するための手段】
上記目的を達成するために本発明は、外気を取り込み流入口から居室内に吹き出すと共に、居室内の空気を流出口から外部に排出する住宅換気システムにおいて、居室の天井に沿うように吹き出す流入口を設け、該流入口の吹き出し方向と反対側に流出口を設ける。
【００１１】
あるいは、空気調和した空気を流入口から居室内に吹き出すと共に、居室内の空気を流出口から空気調和部に戻す空気調和システムにおいて、居室の天井に沿うように吹き出す流入口を設け、該流入口の吹き出し方向と反対側に流出口を設ける。
【００１２】
上記空気調和部としては冷暖房用の熱交換器の他、除湿装置，加湿装置，イオン発生装置，芳香成分発生装置，脱臭装置，フィルター等が考えられる。
【００１３】
又、外気を取り込み流入口から居室内に吹き出すと共に、居室内の空気を流出口から外部に排出する住宅換気システムにおいて、居室の一側壁に沿うよう下方に吹き出す流入口を設け、前記一側壁に対向する側壁に沿って居室の空気を排気する流出口を設ける。
【００１４】
あるいは、空気調和した空気を流入口から居室内に吹き出すと共に、居室内の空気を流出口から空気調和部に戻す空気調和システムにおいて、居室の一側壁に沿うよう下方に吹き出す流入口を設け、前記一側壁に対向する側壁に沿って居室の空気を排気する流出口を設ける。
【００１５】
更に又、外気を取り込み流入口から居室内に吹き出すと共に、居室内の空気を流出口から外部に排出する住宅換気システムにおいて、居室の天井に沿うように吹き出す第１の流入口と、該第１の流入口の吹き出し方向と反対側に設けられ居室の空気を排気する流出口と、該流出口の設けられた側壁に対向する側壁に沿うよう下方に吹き出す第２の流入口と、を設ける。
【００１６】
あるいは、空気調和した空気を流入口から居室内に吹き出すと共に、居室内の空気を流出口から空気調和部に戻す空気調和システムにおいて、居室の天井に沿うように吹き出す第１の流入口と、該第１の流入口の吹き出し方向と反対側に設けられ居室の空気を排気する流出口と、該流出口の設けられた側壁に対向する側壁に沿うよう下方に吹き出す第２の流入口と、を設け、前記第１の流入口と第２の流入口を択一的に使用する選択手段を設ける。
【００１７】
上記選択手段としては、実施例に示す如くダクトを切り替えるダンパーの他、上記流入口および流出口にそれぞれ電動シャッターを設け、空気調和の運転モード切替え応じて電動シャッターを切換え制御するものが考えられる。
【００１８】
又、居室の天井に沿うように吹き出す上記流入口は居室の天井壁近傍の側壁に設けるとよい。
【００１９】
又、居室の側壁に沿うよう下方に吹き出す上記流入口は側壁近傍の天井壁に設けるとよい。
【００２０】
又、上記流出口を居室の出入口扉に設けると居室がシンプルとなって良い。
【００２１】
又、イオン発生装置を備え、上記流入口から居室内にイオンを送出するようにする。
【００２２】
又、上記イオン発生装置がプラスイオンとマイナスイオンとを発生するものであると浮遊菌の殺菌および消臭がなされる。
【００２３】
又、水蒸気を発生する蒸気発生装置を備え、上記流入口から居室内に蒸気を送出するようにする。
【００２４】
又、芳香成分を発生する芳香成分発生装置を備え、上記流入口から居室内に芳香成分を送出するようにする。
【００２５】
又、前記流入口に送風機を設え、該送風機にて居室内に空気を送出するようにする。
外気を給気口から取り込みフィルターボックスを通過させて各居室内に吹き出すとともに、住宅内の空気を強制的に吸引して排気口から外部に排出するか、または、気圧差を利用して住宅内の空気を排気口から外部に排出する、全館換気システムや全館空調システムといった住宅換気装置において、居室の側壁面または天井面に設けられた流入口から天井に沿うように居室内に空気を送出し、流入口の略真下の位置に配された流出口から居室外に空気を送出することを特徴としている。この構成によると、流入口から送出された空気は、天井、流出口の備えられた側壁面に対向する側壁面、床面、流出口の備えられた側壁面を順次伝うため、換気または冷房に好適な空気調和を行うことができる。
【００２６】
また本発明は、外気を給気口から取り込みフィルターボックスを通過させて各居室内に吹き出すとともに、住宅内の空気を強制的に吸引して排気口から外部に排出するか、または、気圧差を利用して住宅内の空気を排気口から外部に排出する、全館換気システムや全館空調システムといった住宅換気装置において、居室の天井または側壁面に設けられた流入口から側壁面に沿って下方に流れるように居室内に空気を送出し、流入口から下方に流れる気流が沿う側壁面と対向する側壁面に配された流出口から居室外に空気を送出することを特徴としている。この構成によると、流入口から送出された空気は、流入口の下方に配された側壁面、床面、流出口の備えられた側壁面を順次伝うため、換気または暖房に好適な空気調和を行うことができる。
【００２７】
また本発明は、外気を給気口から取り込みフィルターボックスを通過させて各居室内に吹き出すとともに、住宅内の空気を強制的に吸引して排気口から外部に排出するか、または、気圧差を利用して住宅内の空気を排気口から外部に排出する、全館換気システムや全館空調システムといった住宅換気装置において、複数の流入口を備え、一方の流入口は居室の側壁面または天井面に設けられた流入口から天井に沿うように居室内に空気を送出し、流入口の略真下の位置に配された流出口から居室外に空気を送出するものであり、他方の流入口は居室の天井または側壁面に設けられた流入口から側壁面に沿って下方に流れるように居室内に空気を送出し、流入口から下方に流れる気流が沿う側壁面と対向する側壁面に配された流出口から居室外に空気を送出するものであることを特徴としている。この構成によると、あるときは、流入口から送出された空気を、天井、流出口の備えられた側壁面に対向する側壁面、床面、流出口の備えられた側壁面を順次伝うように送出し、またあるときは、流入口の下方に配された側壁面、床面、流出口の備えられた側壁面を順次伝うように送出することができる。
【００２８】
また本発明は、上記構成の住宅換気装置において、イオンを発生するイオン発生装置、水蒸気を噴射する加湿装置、除菌・抗菌効果、リフレッシュ効果、消臭・脱臭効果、防虫効果等を有する芳香成分を発生する芳香成分発生装置を備えることができる。この構成によると、イオン、水蒸気、芳香成分等が流入口から空気とともに居室内に送出され、居室内を迅速かつ均一に流通する。また、前記イオン発生装置によりプラスイオンとマイナスイオンとを生成した場合には、除菌効果が得られる。
【００２９】
また本発明は、上記各構成の住宅換気装置において、流入口に送風機を設え、送風機にて居室内に空気を送出することを特徴としている。この構成によると、流入口から送出された空気は高速の噴流となって天井または側壁面を伝うため、調和空気を居室内全体にさらに迅速かつ均一に拡散することができ、そのため、居室内の温度、湿度、イオン濃度、芳香成分の濃度といった、空気調和状況のばらつきを最小限に抑えることができる。また、第１種換気、第２種換気、第３種換気のそれぞれに用いることができる。
【００３０】
【発明の実施の形態】
以下、図面を参照して本発明の実施形態を詳細に説明する。なお、説明において、従来技術あるいは各実施形態の同一部分または相当部分には同一符号を附して重複する説明は省略する。ここで、本明細書の記載に用いる方向的記載の定義について説明する。本明細書において、天井から床面に向かう方向を下方、床面から天井に向かう方向を上方と称する。
【００３１】
図１は本発明の住宅換気装置に係る第１実施形態の全館換気システムが設置された居室における流入口および流出口の配置と居室内の気流の挙動を示す図である。前述の従来の全館換気システムと異なる点は、居室６外に空気を送出する流出口７は、出入口扉６１の下部に設けられ、また、出入口扉６１の略真上の位置に流入口３が設けられており、流入口３から送出される空気は、天井６ａに沿うように居室６内を循環する。
【００３２】
流入口３に連通する図示しない通風ダクト内部には、図示しないイオン発生装置が設置されている。イオン発生装置から発生したイオンはダクト内に放出され、流入口３から居室６内に吹出される。イオン発生装置は放電電極を有し、コロナ放電によって印加電圧が正電圧の場合は主としてＨ＋（Ｈ２Ｏ）ｎから成るプラスイオンを生成し、負電圧の場合は主としてＯ２−（Ｈ２Ｏ）ｍから成るマイナスイオンを生成する。
【００３３】
Ｈ＋（Ｈ２Ｏ）ｎ及びＯ２−（Ｈ２Ｏ）ｍは微生物の表面で凝集し、空気中の微生物等の浮遊菌を取り囲む。そして、式（１）〜（３）に示すように、衝突により活性種である［・ＯＨ］（水酸基ラジカル）やＨ２Ｏ２（過酸化水素）を浮遊菌の表面上で生成し、浮遊菌を破壊して殺菌を行う。
【００３４】
Ｈ＋（Ｈ２Ｏ）ｎ＋Ｏ２−（Ｈ２Ｏ）ｍ→・ＯＨ＋１／２Ｏ２＋（ｎ＋ｍ）Ｈ２Ｏ　・・・（１）
Ｈ＋（Ｈ２Ｏ）ｎ＋Ｈ＋（Ｈ２Ｏ）ｎ’＋Ｏ２−（Ｈ２Ｏ）ｍ＋Ｏ２−（Ｈ２Ｏ）ｍ’→　２・ＯＨ＋Ｏ２＋（ｎ＋ｎ’＋ｍ＋ｍ’）Ｈ２Ｏ　・・・（２）
Ｈ＋（Ｈ２Ｏ）ｎ＋Ｈ＋（Ｈ２Ｏ）ｎ’＋Ｏ２−（Ｈ２Ｏ）ｍ＋Ｏ２−（Ｈ２Ｏ）ｍ’→　Ｈ２Ｏ２＋Ｏ２＋（ｎ＋ｎ’＋ｍ＋ｍ’）Ｈ２Ｏ　・・・（３）
イオン発生装置は使用目的に応じて、プラスイオンに比べてマイナスイオンを多く発生させるモード、マイナスイオンに比べてプラスイオンを多く発生させるモード、及びプラスイオンとマイナスイオンの両方を略同量の割合で発生させるモードの切替えができるようになっている。
【００３５】
また、フィルターボックス２２内には、図示しないカートリッチ方式の芳香成分発生装置が設置されており、除菌・抗菌効果、リフレッシュ効果、消臭・脱臭効果、防虫効果等、様々な効果を有する芳香成分を発生する。芳香成分発生装置から発生した芳香成分はフィルターボックス２２内に放出され、各送風経路を流通して流入口３から居室６内に吹出される。なお、カートリッチは芳香成分を含浸させたマット状の不織布と、それを保持する容器とから成り、カートリッチを取り替えることにより芳香成分の補充や種類を変更できる。芳香成分としては、カテキン、わさび成分、フィトンチッド等、居住者の希望に合致するものを用いることができる。
【００３６】
なお、フィトンチッドとは、樹木が作りだして発散する揮発性物質であって、主成分はテルペン類と呼ばれる有機化合物である。フィトンチッドは、白アリ、ダニ、蚊、カビなどを寄せつけない抗菌・防虫効果や、衣服についた汗等の臭いを消し、空気を浄化する消臭・脱臭効果、さらには肝機能を改善したり快適な睡眠をもたらすリフレッシュ効果を奏し、人体には副作用の心配がないものである。
【００３７】
その他の部分は従来の全館換気システム１ａの形態と同一である。上記構成の全館換気システム１ａの運転を開始すると、居室６の側壁面６ｄに設けられた流入口３から天井６ａに沿うように居室内に空気が送出される。図２は、このときの流入口３から送出される気流の居室６の中央部断面Ｄでの挙動を示している。図２によると、流入口３から送出された空気は、コアンダ効果により天井６ａ、流入口３の備えられた側壁面６ｄに対向する側壁面６ｂ、床面６ｃを順次伝い、出入口扉６１の下部に設けられた流出口７から居室６外に流出する。すなわち、居室６内の空気が大きく、かつ、迅速に循環する。居室６内に生ずる渦流８は３方を流入口３から送出された新鮮な空気に囲まれており、従来の全館換気システム１ａの場合（図２２参照）に比べ迅速に空気が入れ替えられるため、換気効率が向上する。また、イオン、芳香成分も居室内を迅速かつ均一に拡散する。
【００３８】
なお、流入口３、流出口７の配置は、図３または図４のようにしても上記と略同様の効果を得ることができる。この場合には、図に示すように流入口３から送出する空気を天井６ａの対角線方向に送出するとより望ましい。また、居室６に複数の流出口７が設けられている場合は、例えば図５または図６といった配置が望ましい。また、複数の流出口７に対し、図１に示す流入口３と流出口７の位置関係と均等となるように複数の流入口３を設けても良い。
【００３９】
さらに、図７に示すように、流入口３が天井６ａに設置されていてもよい。この場合には、流入口３から送出される気流を天井６ａに沿うように送出すれば、上記と同様の効果を得ることができる。
【００４０】
次に、本発明の住宅換気装置に係る第２実施形態の全館空調システムについて説明する。全体構成は図２１に示す他の従来の全館空調システム１ｂと同一であり、各居室における流入口、流出口の配置およびその他構成は上記第１実施形態と同一である。本実施形態の全館空調システムにおいては、上記第１実施形態と同様の効果を得るとともに、特に冷房運転時に快適性が大きく向上する。
【００４１】
図８は、第２実施形態の全館空調システムの冷房運転時における居室６中央部断面の温度分布を示す図であり、図１に示す居室６を冷房により空気調和した時に設定温度（２８℃）付近に達した所謂冷房安定状態における居室６内の温度分布を示している。居室６の大きさは６畳（高さ２４００ｍｍ、横３６００ｍｍ、奥行き２４００ｍｍ）であり、計測ポイントは図１に一点鎖線Ｄで示した居室６の中央の断面を６００ｍｍ間隔で高さ方向と横方向にそれぞれ６点、８点の合計４８点計測している。
【００４２】
図２および図８から明らかなように、流入口３から送出された空気は、コアンダ効果により天井６ａ、流入口３の備えられた側壁面６ｄに対向する側壁面６ｂ、床面６ｃを順次伝い、出入口扉６１の下部に設けられた流出口７から居室６外に流出する。
【００４３】
これにより、気流が居室６内全体を大きく攪拌し、居室６内の温度分布が設定温度付近で均一になる。即ち、居室６の上方の一部を除いて、居住者の居住領域全体が設定温度２８℃に略一致して温度ばらつきが小さく直接風もほとんど使用者に当たることのない快適空間を得ることができる。
【００４４】
なお、図９に示すように、流入口３と通風ダクト５５との間に送風機９１を設置し、流入口３から送出する気流を加勢して居室６内に送出すれば、より一層の居室内温度の均一化効果が得られる。この構成によれば、流入口３から送出された空気は高速の噴流となって天井６ａを伝うため、調和空気を居室６内全体にさらに迅速かつ均一に拡散することができ、そのため、居室６内の温度、湿度、イオン濃度、芳香成分の濃度といった、空気調和状況のばらつきを最小限に抑えることができる。また、第１種換気、第２種換気、第３種換気のそれぞれに用いることができる。送風機には、軸流ファン、遠心ファン、斜流ファン、貫流ファン等、様々な形式のファンを用いることができ、それぞれ略同様の効果が得られるが、貫流ファンを用いれば居室内温度の均一化に関し最良の効果が得られる。
【００４５】
次に、本発明の住宅換気装置に係る第３実施形態の全館空調システムについて説明する。図１０は本発明の住宅換気装置に係る第３実施形態の全館換気システムが設置された居室における流入口および流出口の配置と居室内の気流の挙動を示す図である。前述の図１〜図７に示す第１実施形態と同様の部分には同一の符号を付している。前述の第１実施形態と異なる点は、流出口７が設けられている側壁面に対向する位置の側壁面６ｂと接するように天井６ａに流入口３が設けられており、流入口３から送出される空気は、前記側壁面６ｂに沿って下方に流れるように居室内に循環する。その他構成は上記第１実施形態と同一である。
【００４６】
上記構成の全館換気システム１ａの運転を開始すると、居室６の天井６ａに設けられた流入口３から、流出口７が設けられている側壁面に対向する位置の側壁面６ｂに沿うように居室内に空気が送出される。図１１は、このときの流入口から送出される気流の居室６の中央部断面Ｄでの挙動を示している。図１１によると、流入口３から送出された空気は、コアンダ効果により、流出口７の備えられた側壁面に対向する側壁面６ｂ、床面６ｃを順次伝い、出入口扉６１の下部に設けられた流出口７から居室６外に流出する。すなわち、居室６内の空気が大きく、かつ、迅速に循環する。居室６内に生ずる渦流８は２方を大きく流入口３から送出された新鮮な空気に囲まれており、従来の全館換気システム１ａの場合（図２２参照）に比べ迅速に空気が入れ替えられるため、換気効率が向上する。また、イオン、芳香成分も居室内を迅速かつ均一に拡散する。
【００４７】
なお、流入口３、流出口７の配置は、図１２または図１３のようにしても上記と略同様の効果を得ることができる。この場合には、図に示すように流入口３を流出口７に対して居室６の略対角の位置に配するとより望ましい。また、居室６に複数の流出口７が設けられている場合は、例えば図１４または図１５といった配置が望ましい。また、複数の流出口７に対し、図１０に示す流入口３と流出口７の位置関係と均等となるように複数の流入口３を設けても良い。
【００４８】
さらに、図１６に示すように、流入口３が流出口７の備えられた側壁面６ｄに対向する側壁面６ｂに設置されていてもよい。この場合には、流入口３から送出される気流を側壁面６ｂに沿うように送出すれば、上記と同様の効果を得ることができる。
【００４９】
次に、本発明の住宅換気装置に係る第４実施形態の全館空調システムについて説明する。全体構成は図２１に示す他の従来の全館空調システム１ｂと同一であり、各居室における流入口、流出口の配置およびその他構成は上記第３実施形態と同一である。本実施形態の全館空調システムにおいては、上記第３実施形態と同様の効果を得るとともに、特に暖房運転時に快適性が大きく向上する。
【００５０】
図１７は、第４実施形態の全館空調システムの暖房運転時における居室６中央部断面の温度分布を示す図であり、図１０に示す居室６を暖房により空気調和した時に設定温度（２８℃）付近に達した所謂暖房安定状態における居室６内の温度分布を示している。居室６の大きさは６畳（高さ２４００ｍｍ、横３６００ｍｍ、奥行き２４００ｍｍ）であり、計測ポイントは図８に一点鎖線Ｄで示した居室６の中央の断面を６００ｍｍ間隔で高さ方向と横方向にそれぞれ６点、８点の合計４８点計測している。
【００５１】
図１１および図１７から明らかなように、流入口３から送出された空気は、コアンダ効果により、流出口７の備えられた側壁面に対向する側壁面６ｂ、床面６ｃを順次伝い、出入口扉６１の下部に設けられた流出口７から居室６外に流出する。
【００５２】
これにより、床面６ｃに暖気が流れ込むとともに居室６の中央部付近は気流がを大きく攪拌するため温度分布が設定温度付近で均一になる。即ち、居住者の足元は暖かく、頭部付近は設定温度２８℃に略一致して温度ばらつきが小さく、直接暖気が当たらない、頭寒足熱を実現した快適空間を得ることができる。
【００５３】
なお、図１８に示すように、流入口３と通風ダクト５５との間に送風機９１を設置し、流入口３から送出する気流を加勢して居室６内に送出すれば、より一層の頭寒足熱効果が得られる。この構成によれば、流入口３から送出された空気は高速の噴流となって側壁面６ｂを伝うため、調和空気を居室６内全体にさらに迅速かつ均一に拡散することができ、そのため、居室６内の温度、湿度、イオン濃度、芳香成分の濃度といった、空気調和状況のばらつきを最小限に抑えることができる。また、第１種換気、第２種換気、第３種換気のそれぞれに用いることができる。送風機には、軸流ファン、遠心ファン、斜流ファン、貫流ファン等、様々な形式のファンを用いることができ、それぞれ略同様の効果が得られるが、貫流ファンを用いれば居室内温度の均一化に関し最良の効果が得られる。
【００５４】
次に、本発明の住宅換気装置に係る第５実施形態の全館空調システムについて説明する。図１９は本発明の住宅換気装置に係る第５実施形態の全館空調システムが設置された居室における流入口および流出口の構成とその動作を示す概略側断面図である。前述の第２実施形態および第４実施形態と同様の部分には同一の符号を付している。前述の第２実施形態および第４実施形態と異なる点は、居室６外に空気を送出する流出口７は、出入口扉６１の下部に設けられ、出入口扉６１の略真上の位置に第１流入口３ａが設けられている。また、流出口７が設けられている側壁面６ｄに対向する位置の側壁面６ｂと接するように天井６ａに第２流入口３ｂが設けられている。また、第１流入口３ａおよび第２流入口３ｂは分岐ダクト５６にて連通しており、分岐ダクト５６の分岐部に設けられたダンパ９２の動きにより流入口が択一的に選択される。すなわち、本実施形態の全館空調システム１ｂの冷房運転時にはダンパ９２は図のａの配置となり、このとき第１流入口３ａから矢印Ａの方向に冷気が送出され、天井６ａに沿うように居室６内を循環する。また、暖房運転時にはダンパ９２は図のｂの配置となり、このとき第２流入口３ｂから矢印Ｂの方向に暖気が送出され、前記側壁面６ｂに沿って下方に流れるように居室内に循環する。
【００５５】
また、室内機５１（図２１参照）内部には図示しない加湿装置が設けられ、吸着剤（不図示）を充填した回転式熱交換器（不図示）と、ヒータ（不図示）と、送風ファン（不図示）とを備えた無給水型に構成されている。送風機の駆動により、室内の空気は回転式熱交換器の一部分を通過し、吸着剤により水分を奪われて室外に排出される。水分を含んだ吸着剤は回転によりヒータに対面して水分を蒸発する。この時、送風機の駆動によりヒータ部分に導かれた空気が水蒸気を含み、加湿空気は各居室６へ送出される。従って、加湿された空気を流入口３から送出できるようになっている。
【００５６】
その他構成は上記第２実施形態および第４実施形態と同一である。従って、本実施形態の全館空調システム１ｂの冷房運転時には上記第２実施形態の全館空調システム１ｂと同一の効果が得られるとともに、暖房運転時には上記第４実施形態の全館空調システム１ｂと同一の効果が得られる。また、本実施形態の全館空調システム１ｂは加湿装置を備えているので、暖房時には加湿空気を部屋全体に速やかに拡散させることができ、部屋全体を均一かつ速やかに加湿することができる。給水用のタンクを備えた給水式の加湿器を設けてもよい。
【００５７】
以上、本発明に係る住宅換気装置の実施形態を説明してきたが、本発明は上記実施形態に限定される訳ではなく、本発明の趣旨を逸脱しない範囲で適宜の変更を加えて実施される。
【００５８】
【発明の効果】
本発明によると、流入口から送出された空気は、天井、流出口の備えられた側壁面に対向する側壁面、床面、流出口の備えられた側壁面を順次伝うため、居室内の空気を大きく、かつ、迅速に循環させることができ、換気効率を高めることができる。また、冷房運転の際には、居室の上方の一部を除いて、居住者の居住領域全体が設定温度に略一致して温度ばらつきが小さく、直接風もほとんど使用者に当たることのない快適空間を得ることができる。
【００５９】
また本発明によると、流入口から送出された空気は、流入口の下方に配された側壁面、床面、流出口の備えられた側壁面を順次伝うため、居室内の空気を大きく、かつ、迅速に循環させることができ、換気効率を高めることができる。また、暖房運転の際には、居住者の足元は暖かく、頭部付近は設定温度に略一致して温度ばらつきが小さく、直接風もほとんど使用者に当たることのない頭寒足熱を実現した快適空間を得ることができる。
【００６０】
また本発明によると、冷房時には、流入口から送出された空気を、天井、流出口の備えられた側壁面に対向する側壁面、床面、流出口の備えられた側壁面を順次伝うように送出し、また、暖房時には、流入口の下方に配された側壁面、床面、流出口の備えられた側壁面を順次伝うように送出することができる。
【００６１】
また本発明によると、イオン、水蒸気、芳香成分等が流入口から空気とともに居室内に送出され、居室内を迅速かつ均一に流通し拡散する。また、前記イオン発生装置によりプラスイオンとマイナスイオンとを生成した場合には、除菌効果が得られる。
【００６２】
また本発明によると、流入口から送出された空気は高速の噴流となって天井または側壁面を伝うため、調和空気を居室内全体にさらに迅速かつ均一に拡散することができ、そのため、居室内の温度、湿度、イオン濃度、芳香成分の濃度といった、空気調和状況のばらつきを最小限に抑えることができる。また、第１種換気、第２種換気、第３種換気のそれぞれに用いることができる。
【図面の簡単な説明】
【図１】は、本発明の住宅換気装置に係る第１実施形態の全館換気システムが設置された居室における流入口および流出口の配置と居室内の気流の挙動を示す斜視図である。
【図２】は、第１実施形態の全館換気システムの流入口から送出される気流の居室中央部断面での挙動を示す概略側断面図である。
【図３】は、第１実施形態に準ずる他の流入口および流出口の配置と居室内の気流の挙動を示す斜視図である。
【図４】は、第１実施形態に準ずるさらに他の流入口および流出口の配置と居室内の気流の挙動を示す斜視図である。
【図５】は、第１実施形態に準ずるさらに他の流入口および流出口の配置と居室内の気流の挙動を示す斜視図である。
【図６】は、第１実施形態に準ずるさらに他の流入口および流出口の配置と居室内の気流の挙動を示す斜視図である。
【図７】は、第１実施形態に準ずるさらに他の流入口の配置と、流入口から送出される気流の居室中央部断面での挙動を示す概略図である。
【図８】は、本発明の住宅換気装置に係る第２実施形態の全館空調システムの冷房運転時における居室中央部断面の温度分布を示す図である。
【図９】は、第２実施形態に準ずる他の全館空調システムを示す概略側断面図である。
【図１０】は、本発明の住宅換気装置に係る第３実施形態の全館換気システムが設置された居室における流入口および流出口の配置と居室内の気流の挙動を示す斜視図である。
【図１１】は、第３実施形態の全館換気システムの流入口から送出される気流の居室中央部断面での挙動を示す概略側断面図である。
【図１２】は、第３実施形態に準ずる他の流入口および流出口の配置と居室内の気流の挙動を示す斜視図である。
【図１３】は、第３実施形態に準ずるさらに他の流入口および流出口の配置と居室内の気流の挙動を示す斜視図である。
【図１４】は、第３実施形態に準ずるさらに他の流入口および流出口の配置と居室内の気流の挙動を示す斜視図である。
【図１５】は、第３実施形態に準ずるさらに他の流入口および流出口の配置と居室内の気流の挙動を示す斜視図である。
【図１６】は、第３実施形態に準ずるさらに他の流入口の配置と、流入口から送出される気流の居室中央部断面での挙動を示す概略側断面図である。
【図１７】は、本発明の住宅換気装置に係る第４実施形態の全館空調システムの暖房運転時における居室中央部断面の温度分布を示す図である。
【図１８】は、第４実施形態に準ずる他の全館空調システムを示す概略側断面図である。
【図１９】は、本発明の住宅換気装置に係る第５実施形態の全館空調システムの動作を示す概略側断面図である
【図２０】は、従来の住宅換気装置に係る全館換気システムの一例を示す説明図である。
【図２１】は、他の従来の住宅換気装置に係る全館空調システムの一例を示す説明図である。
【図２２】は、従来および他の従来の住宅換気装置を運転した場合の、居室内における気流の挙動を示す模式図である。
【図２３】は、他の従来の住宅換気装置に係る全館空調システムの冷房運転時における居室中央部断面の温度分布を示す図である。
【符号の説明】
１ａ　　全館換気システム
１ｂ　　全館空調システム
２１　　室外給気口
２２　　フィルターボックス
２３　　熱交換型換気ユニット
２４　　分岐チャンバー
２５　　室外排気口
３　　　流入口
４　　　吸入口
５１　　室内機
５２　　伝熱管
５３　　室外機
５４　　再循環空気吸入口
５５　　通風ダクト
５６　　分岐ダクト
６　　　居室
６ａ　　天井
６ｂ　　側壁面
６ｃ　　床面
６１　　出入口扉
７　　　流出口
８　　　渦流
９１　　送風機
９２　　ダンパ
【図１】
2004061068.tif 000003
【図２】
2004061068.tif 000004
【図３】
2004061068.tif 000005
【図４】
2004061068.tif 000006
【図５】
2004061068.tif 000007
【図６】
2004061068.tif 000008
【図７】
2004061068.tif 000009
【図８】
2004061068.tif 000010
【図９】
2004061068.tif 000011
【図１０】
2004061068.tif 000012
【図１１】
2004061068.tif 000013
【図１２】
2004061068.tif 000014
【図１３】
2004061068.tif 000015
【図１４】
2004061068.tif 000016
【図１５】
2004061068.tif 000017
【図１６】
2004061068.tif 000018
【図１７】
2004061068.tif 000019
【図１８】
2004061068.tif 000020
【図１９】
2004061068.tif 000021
【図２０】
2004061068.tif 000022
【図２１】
2004061068.tif 000023
【図２２】
2004061068.tif 000024
【図２３】
2004061068.tif 000025